(57)【要約】      （修正有）【課題】血流を促進して下肢部の冷え、しびれ、むくみ等の弊害を緩和する足指マッサージゴムパッドを提供する。【解決手段】足指の第１指、第２指の指股に挟むことが出来るシリコンゴム製スポンジゴムのＨ型筒状の鍔付きゴムパッドと、ゴムパッドの穴に通すゴム紐と、を備える。足指の第１指、第２指の指股にゴムパッドを挟み、踵にゴム紐を掛けて固定することにより、足指を上下に屈伸運動、又は、歩行、その場で足踏み運動をしてマッサージする。【選択図】図３
0003203396.tif 000002
【実用新案登録請求の範囲】
【請求項１】
足指の第１指、第２指の指穴にＨ型筒状の鍔付きゴムパッドを挟み、踵にゴム紐を掛けて固定し、足指を上下に屈伸運動、又は、歩行、その場で脚踏み運動をしてマッサージする、シリコン製スポンジゴムで、足指マッサージゴムパッドに関する。
【考案の詳細な説明】
【技術分野】
【０００１】上下に鍔を付けたＨ形の穴あきシリコンスポンジゴムに於いて、指穴に嵌め装着したとき，鍔が足指の上下に固定されてゴムパッドが足指から、ハズレにくく、足指に挟んだまま歩くと、床面感触が良好である。又、材質は人の皮膚面接触を優しくする為、軟らかく且つ通気性を保つスポンジの材質で、日本工業規格の定めるゴム硬度計ＪＩＳ−Ａ−硬度２０度を標準硬度としたゴムパッドである。
材質は、硬くても、軟らか過ぎても其の機能が著しく低下する事が、本考案品の試作実験段階で確認済みである。
鍔の直径は大き過ぎても、小さ過ぎても足指の接触面積に適合せず４０ミリ、とした。鍔の厚みも５ミリに、中筒と鍔の接合曲部の外面も５Ｒとし足指接面に優しくフイットする構造に設計した。足指第１指と第２指の隙間に嵌めこむゴムパッドに於いて、人それぞれの指間の隙間に、男女及び体形的な多少の相違点がある事を考慮し、共通使用の出来るゴムパッドの寸法を高さ、２５ミリ、ゴム筒の外径を２０ミリに限定した。更に、ゴムパッドのゴム筒が、その役割を果たすゴムの弾力性。つまりゴムの持質である圧縮、反発機能を最大に活用する重要な内径寸法の設定は、実験品のテストを繰り返し行って１０ミリが最適であり此の寸法を採用した。ゴムパッドの付属品として、ゴムパッドの中筒に市販のゴム紐を貫通させて、縫い合わせ、足の踵に巻き付けて固定する機能を保有する物である。本考案品。の特徴の一つとして，いつでも何処でも、ソックス、ストッキングの上にそのまま装着し、ゴム紐でハズレない様に固定して使用する事が出来るゴムパッドである。
【背景技術】
【０００２】本考案のゴムパッドに於いて外面から伺う事が出来ない特質としては、ゴムの持つ固有の反発弾性が，金属を持って作成したバネのスプリング効果がある。即ち指股に挿入した時、強制的に嵌めこむ為、正円の中筒が楕円に圧縮変形して指股に圧力を加え、既にマッサージ効果を開始する特徴を保有する。
付けたまま歩行すると、床に接面した足指は強く圧迫拡張し、接面が床から離れた片面の足指は、重力の離脱で中筒が元に戻り、交互に圧迫収縮を繰り返し血流が促進され、歩くだけ又は、その場で脚踏みするだけでも血流促進のマッサージ効果が高まるゴムパッドである。ゴム固有の特性を最大限に活用する為にゴム硬度、中筒の内外軽、厚さを適正に配慮して開発した考案品である。
【考案の概要】
【考案が解決しようとする課題】
【０００３】在来の足指パッドは、指の挿入装着が難雑で高齢者に於いては握力の脆弱に依る装着に困難を極める物もあり。又、材質的に於いても足指の皮膚接触で指肌に障害を与える  と予想される品物もある。夏季高温時の接触は汗に因る皮膚障害が懸念される。他に床上に定着して使用する器具もあるが、任意に持ち運びの煩わしさがあり、形状的に器具の使用を躊躇する器具も見かける。
【課題を解決するための手段】
【０００４】本考案器具の解決手段にかかる方法として、足の第１指（親指）と第２指の指股にゴムパッドを挟み、圧迫刺激して血流を促進し疲労の回復を図る手段であるが、その他高齢者に衰弱な足指の握力を強化して転倒予防の役割を合わせ持つ特徴のゴムパッドである。通常の使用は、指股に挟んで指を上下に屈折屈伸運動を行う健康器具であるが、僅か数分の屈伸運動で、指股周辺が温かくなり、体がほてり手に汗する体質の試用もあった。又、足指の握力は、握力計で１キログラム未満であった高齢者が数日間の使用で向上が見られ、効果の確認を行ったゴムパッドである。日本人の下駄履き草鞋文化が発想の原点である。
【考案の効果】
【０００５】通常、健康を維持する為に行う一つの方法として疲労を放置せず、早期に回復する事が望ましい。例を挙げれば、過度の歩行、運動で下肢部の疲労回復、体質的な冷え性の改善、冷暖房に因る上半身と下半身との温度差による弊害を早期に取り除く事が重要である。本考案品は、健康グッズとして携行する事により、「何時でも何処でも」手軽に使用出来て、僅か数分の使用で効果を発揮出来る事を考案者自ら実証済みである。会社のデスクワークでは机の下で、高齢者の観劇では脚下の冷え過ぎで血流停滞の回復には座席の下での使用も出来る。又、長時間に亘る自動車、バス、船舶で移動する時の下肢部の疲労回復。航空機のエコノミークラス症候群の予防、自動車の長時間走行で車両に因る継続振動で、下肢部の微振動が降車後も震え現象を意識する症状が長時間続いた事も数回経験した。何れも考案者が長年に亘り体験した疲労に因る身体的な弊害であるが、これらの回復手段として、薬剤の塗布、自力による指圧叩きモミなどのマッサージなどもあるが、高齢者には全てが脆弱で持続性に乏しい。本考案の使用効果は、体質による個人差があるにしても、短時間の着用運動で予防又は、回復を促進するゴムパッドである。商品名も「つかれとり」として世の為人の為に役立てたいと念願するものである。
【図面の簡単な説明】
【０００６】第１図はゴムパッドの形状寸法を表示する。〜１はゴムパッドの外観側面を表す。〜２鍔の断面図、〜３はゴムパットの穴、〜４は全高さ、〜５は鍔を除く高さ、〜６は鍔の厚み、〜７は筒の外周丸み、〜８は鍔の外周丸み、〜９は穴の外周丸み寸法。第２図はゴムパッドの断面寸法図。〜１０は鍔の外形、〜１１は筒の外形、〜１２は穴の内径、〜１３は穴の角面。第３図はゴムパットの穴にゴム紐を通した見取り図。〜１４は糸ゴムと糸を編み込んだ厚さ１ミリ幅１０ミリのゴム紐、〜１５の穴に通す、〜１６はゴム紐の両端を重ね、〜１７糸で縫い合す。第４図はゴムパッドを足指に装着した見取り図である。〜１８は足指にゴムパッド〜１９を踵に掛け〜２１足指を上下に曲げる。第５図はゴムパッドのゴム紐を折り畳んだ見取り図。〜２２はゴム紐を外周に巻き付けて〜２３末端を穴に押し込み収納する。第６図はゴムパッド２個をプラスチックのケースに収納した見取り図及びケースの寸法図。〜２４〜２５は容器と蓋の寸法図、〜２６はゴムパッドの収納見取り図、〜２７はケースに表示したラベル、〜２８はケースに窪みを付け蓋の脱着を容易にする為、指先の掴みしろを付けた寸法図である。
【考案を実施する為の形態】
【０００７】本考案のゴムパッドを生産する為の企業形態としては、製造業で小分類は、ゴム製品製造業の業種で生産と販売を行う。尚、ゴムパッド販路の末端店舗としては、健康グッズ販売店、交通機関の売店、空港の免税店、その他、商品知名度に宣伝効果の高い、通販も視野に販路の開拓を行う事が望ましい。私は八十八歳、足膝の腓腹筋、ヒラメ筋の疲労による、睡眠中のコムラ返りがあり予防の為本考案を思いつく。使用し効果を確認済みである。一日でも早く特許を修得し、健康作りに寄与したいと念願するものである。
【実施例】
【０００８】ゴムパットの加工は、インゼクション方式（シリコンゴムの原料を加熱加圧し金型に圧入）の多面取り生産方式を採用すれば、低価格生産が可能である。
【符号の説明】
【０００９】ゴムパッドの図面に記入している符号で、通常設計図面に書き入れる寸法記号
0003203396.tif 000003
も夫々提示した部位の高さ寸法を表し、×は計算数字ではなく、単なる符号でありＬは長さ寸法、全てミリメートルで表した寸法図表である。
【図１】
0003203396.tif 000004
【図２】
0003203396.tif 000005
【図３】
0003203396.tif 000006
【図４】
0003203396.tif 000007
【図５】
0003203396.tif 000008
【図６】
0003203396.tif 000009
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
足指の第１指、第２指の指股に挟むことが出来るシリコンゴム製スポンジゴムのＨ型筒状の鍔付きゴムパッドと、前記ゴムパッドの穴に通すゴム紐と、を備え、足指の第１指、第２指の指股に前記ゴムパッドを挟み、踵に前記ゴム紐を掛けて固定することにより、足指を上下に屈伸運動、又は、歩行、その場で足踏み運動をしてマッサージすることができる、足指マッサージゴムパッド。
【手続補正２】
【補正対象書類名】明細書
【補正対象項目名】０００６
【補正方法】変更
【補正の内容】
【０００６】
【図１】足指マッサージゴムパッドの形状を表示する断面寸法図。〜１はゴムパッドの外観側面図。〜２は、鍔の断面図。〜３はゴムパッドの穴。〜４は、高さ寸法。〜５は、鍔を除く高さ。〜６は、鍔の厚み。〜７は、筒の外周丸み。〜８は、鍔の外周丸み。〜９は、穴の外周丸み寸法。
【図２】足指マッサージゴムパッドの外形平面寸法図。〜１０は、鍔の外形。〜１１は、筒の外形。〜１２は、穴の内径。〜１３は、穴の角面寸法。
【図３】足指マッサージゴムパッドの穴に、ゴム紐を通し両端を重ねて糸で縫い合わせた見取り図。〜１４は、糸ゴムと糸を編み込んだ厚み１ミリ、幅１０ミリ、長さ４００ミリのゴム紐。〜１５の穴に通して、〜１６、両端を１５ミリ重ね合わせ、〜１７、糸で縫い合わす。
【図４】足指マッサージゴムパッドを指股に挟み、ゴム紐を踵に固定し足指を上下に屈伸運動し乍らマッサージする使用見取り図。〜１８、〜１９、ゴムパッドを足指、第１指と第２指の指股に挟み、〜２０のゴム紐を足の踵にかけ、〜２１の矢印に示す上下に屈伸しマッサージを行う。
【図５】足指マッサージゴムパッドのゴム紐を折り畳んだ断面見取り図。〜２２のゴム紐を、ゴムパッドの外周に巻き付けて、〜２３ゴム紐の末端を穴に押し込み折り畳んだゴムパッドの半割りした断面図である。
【図６】足指マッサージゴムパッドをケースに収納した見取り図。〜２４は、ゴムパットを収納するプラスチックケース製収納容器。〜２５の蓋とセットで、容器は、図に記入した数字の寸法である。〜２６は、ゴムパッドを収納した姿図である。〜２７は、収納ケースに表示したゴムパッドの商品名「つかれとり」のラベルである。〜２８は、収納ケースの特徴として、蓋の脱着を容易にする為、収納容器に、くぼみを付けた寸法の見取り図面である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】足指マッサージゴムパッドの図面符号は、通常設計図面に書き入れる記号でφは直径、Ｒは半径ｒも小半径で丸み加工の数字を表す。Ｈとｈも夫々提示した部位の高さを表す。×は計算で無く単なる符号である。Ｌは長さ寸法、全てミリメートルである。